(57)【要約】      （修正有）【課題】効率的にＬＥＤによって生成される熱を放散させる照明装置を提供する。【解決手段】照明装置はシェルと複数のＬＥＤプラットホーム２を含む。シェルは光を反射するための複数の光反射要素２２を含み、各々の光反射要素２２は底面を含む。光反射要素２２のうちの一つの底面に固定される各々のＬＥＤプラットホーム２は、エネルギー変換器２０、ヒートパイプ２４および熱放散要素２６を含む。底面を貫通するエネルギー変換器２０は、複数の第１のＬＥＤまたは第２のＬＥＤを含む。ヒートパイプ２４は平坦部分２４０、延長部分２４２および接触部分２４４を含み、そこで、平坦部分２４０はエネルギー変換器２０と接触し、延長部分２４２は湾曲部を有して第１の方向に沿って延長し、接触部分２４４は湾曲部と連結して第２の方向に沿って延長する。熱放散要素２６は複数のフィン２６０を有し、各々のフィン２６０は接触部分２４４に接触する。【選択図】図２
2011138777.tif 000002
【特許請求の範囲】
【請求項１】
形状因子を有する照明装置であって、該形状因子は：光を反射するための複数の光反射要素を含み、該光反射要素の各々が底面を含むシェルと；、複数のＬＥＤプラットホームであって、各々の該ＬＥＤプラットホームが該光反射要素のうちの一つの該底面上に固定される複数のＬＥＤプラットホームと；を含み、該複数のＬＥＤプラットホームは：該底面を貫通する、光を発するために複数の第１のＬＥＤまたは複数の第２のＬＥＤを含むエネルギー変換器と；平坦部分と、延長部分と、接触部分とを含むヒートパイプであって、該平坦部分は該エネルギー変換器と接触し、該延長部分は湾曲部を有し、該エネルギー変換器の該形状因子の方へ第１の方向に沿って延長し、該接触部分は該湾曲部を連結して、第２の方向に延長するヒートパイプと；複数のフィンを有し、各々の該フィンは該接触部分と接触する熱放散要素と；を含む照明装置において、該形状因子および駆動電流がおよそ一定である場合、該ＬＥＤプラットホームのうちの一つが、駆動電流で駆動される一方 Ｘ±１０％のルーメンを生成するｎの第１のＬＥＤを含み、該ＬＥＤプラットホームのうちの一つが、駆動電流で駆動される一方Ｙ±１０％のルーメンを生成するｎの第２のＬＥＤを含み、該ＬＥＤプラットホームのうちの一つが、駆動電流で駆動される一方Ｙ±１０％のルーメンを生成するｍの第１のＬＥＤを含み、該ＬＥＤプラットホームのうちの一つが、駆動電流で駆動される一方Ｚ±１０％のルーメンを生成するｎの第２のＬＥＤを含み；そこにおいて、ｍ＞ｎ、Ｚ＞Ｙ、Ｙ＞Ｘであり、該第２のＬＥＤの発光効率が該第１のＬＥＤのそれよりも高い、照明装置。
【請求項２】
前記変換器がさらに基板とベースとを含み、前記第１のＬＥＤまたは前記第２のＬＥＤが該基板に配置され、該基板は該第１のＬＥＤまたは該第２のＬＥＤを露出させるために該ベースに連結される、請求項１の照明装置。
【請求項３】
前記第１のＬＥＤまたは前記第２のＬＥＤが前記基板の上に形成される、請求項２の照明装置。
【請求項４】
前記第１のＬＥＤまたは前記第２のＬＥＤが前記ベースにダイ接着されるチップである、請求項２の照明装置。
【請求項５】
前記ベースが、第１のくぼんだ部分と該第１のくぼんだ部分に連結される第２のくぼんだ部分とを含み、前記基板が、前記平坦部分と接触して該第２のくぼんだ部分に連結され、前記第１のＬＥＤまたは前記第２のＬＥＤは、該第１のくぼんだ部分の外側に露出する、請求項２の照明装置。
【請求項６】
前記エネルギー変換器がベースを含み、前記第１のＬＥＤまたは前記第２のＬＥＤは該ベースに配置される、請求項１の照明装置。
【請求項７】
前記ベースが凹部を含み、前記第１のＬＥＤまたは前記第２のＬＥＤは該凹部に配置される、請求項６の照明装置。
【請求項８】
前記第１のＬＥＤまたは前記第２のＬＥＤは前記ベースに形成される、請求項６の照明装置。
【請求項９】
前記第１のＬＥＤまたは前記第２のＬＥＤは前記ベースにダイ接着されるチップである、請求項６の照明装置。
【請求項１０】
前記形状因子は前記ヒートパイプに連結するキャリアをさらに含み、前記エネルギー変換器は、前記平坦部分と接触するために該キャリアに固定される、請求項１の照明装置。
【請求項１１】
前記キャリアは保持具によって前記光反射要素に固定される、請求項１０の照明装置。
【請求項１２】
各々の前記ＬＥＤプラットホームは、前記エネルギー変換器から生成された前記光を調整するため、前記キャリアに連結される光変調器をさらに含み、そこで該キャリアは、該光変調器を該キャリアにネジ止めするために該キャリア側に配置されたネジ構造を含む、請求項１０の照明装置。
【請求項１３】
前記第１の方向は前記第２の方向におよそ垂直であり、各々の前記フィンは、孔を含み、該孔を貫通する前記接触部分は固定要素により該孔に固定される、請求項１の照明装置。
【請求項１４】
前記固定要素が前記接触部分をつなぐ、請求項１３の照明装置。
【請求項１５】
前記シェルが複数の光学ホモジナイザをさらに含み、各々の該光学ホモジナイザは前記光反射要素のうちの一つに固定される、請求項１の照明装置。
【発明の詳細な説明】
【技術分野】
【０００１】
本発明は、照明装置に関連し、特に一定の形状因子と湾曲したヒートパイプとを有する照明装置に関連するものであり、そこにおいて、照明装置は、様々な分量および様々な発光効率を有するＬＥＤをさらに含むことができる。
【背景技術】
【０００２】
半導体発光デバイスの発展とともに、動力の節約、地震への抵抗、迅速な反応などのいくつかの利点を有する発光ダイオード（ＬＥＤ）は、新規な光源になる。光の強度を上げるため、強力なＬＥＤが多くの照明製品の光源として使われてきた。強力なＬＥＤはより強い光を提供することができるが、熱放散に関する他の問題を引き起こす。例えば、ＬＥＤによって生成される熱が適時に放散することができない場合、ＬＥＤは、発光効率に影響を及ぼし、ＬＥＤの作業寿命を減らしてしまう「熱ショック」を受ける。
【０００３】
加えて、強力ＬＥＤの熱放散要素は通常、照明装置のサイズも拡大してしまうような大きいサイズを有する。照明装置を小型化するため、熱放散要素は、改良されなければならない。
【０００４】
従来のＬＥＤ照明装置の熱放散要素は、通常複数のフィンで熱を放散させ、そこで、フィンはより高い熱放散効率を達成するためにＬＥＤを担持するキャリアに取り付けられなければならない。しかしながら、強力ＬＥＤに使用されるフィンのサイズは通常大きく、フィンが直接キャリアに取り付けられる必要がある場合、強力ＬＥＤを適用した照明装置の空間の有用性は限定される。
【０００５】
したがって、適切にフィンを配置することによって装置内部で空間を完全に活用することができる、すなわち、照明装置が上述した問題を解決するため、直接キャリアに接触することに限定されないフィンによって熱を放散させることができる照明装置を提供することが必要である。
【発明の概要】
【課題を解決するための手段】
【０００６】
本発明の範囲は、装置内部の空間を完全に活用することができるだけでなく、効率的にＬＥＤによって生成される熱を放散させる照明装置を提供することである。さらに、照明装置は複数のＬＥＤを有する一定の形状因子を有し、ＬＥＤは、異なる尺度の照明を提供するためのいくつかのタイプの発光効率を含む。
【０００７】
本発明の一つの実施態様によると、本発明の照明装置の形状因子は、シェルと複数のＬＥＤプラットホームとを含む。シェルは、光を反射するための複数の光反射部分を含み、各々の光反射部分は底面を含む。光反射部分の一つの底面に固定される各々のＬＥＤプラットホームは、エネルギー変換器とヒートパイプと熱放散部分とを含む。底面を貫通するエネルギー変換器は、光を生成するための複数の第１のＬＥＤまたは複数の第２のＬＥＤを含む。ヒートパイプは、平坦部分と延長部分と接触部分とを含み、そこで、平坦部分はエネルギー変換器と接触し、延長部分は湾曲部を有して第１の方向に沿って延長し、接触部分は湾曲部を連結して第２の方向に沿って延長する。熱放散部分は複数のフィンを有し、各々のフィンは接触部分と接触する。
【０００８】
上記したように、ｎの第１のＬＥＤは駆動電流で駆動される一方 Ｘ±１０％のルーメンを生成し、ｎの第２のＬＥＤ は駆動電流で駆動される一方Ｙ±１０％のルーメンを生成し、ｍの第１のＬＥＤは駆動電流で駆動される一方Ｙ±１０％のルーメンを生成し、ｍの第２のＬＥＤは駆動電流で駆動される一方Ｚ±１０％のルーメンを生成する。
【０００９】
本発明の他の一実施態様において、ＬＥＤプラットホームの各々は、エネルギー変換器を制御するために制御回路を含むためのコンテナをさらに含む。さらに、コンテナは、エネルギー変換器および制御回路によって必要とされる動力を提供するため、電気的に制御回路に連結されるコネクタをさらに含む。
【００１０】
さらに、形状因子はエネルギー変換器および制御回路によって必要とされる動力を提供するため、シェルに固定され、それぞれ電気的に制御回路に連結されるコネクタをさらに含む。
【００１１】
加えて、第１の方向は第２の方向におよそ垂直であり、そこでフィンは、第２の方向におよそ垂直である。さらにフィンは、矩形の立方体を形成するために積み重なり、そこで、孔と孔を貫通する接触部分とを含む各々のフィンは、固定要素によって孔において固定される。さらに固定要素は、接触部分をつなぐ。
【００１２】
要約すれば、本発明の照明装置は複数のＬＥＤを有する一定の形状因子を有し、ＬＥＤは異なる尺度の照明を提供するためのいくつかのタイプの発光効率を含む。さらに、照明装置は、適切にフィンを配置することによって装置内部で空間を完全に活用することができる、すなわち、照明装置は、熱を湾曲したヒートパイプでフィンに伝えることによって熱を放散させることができる。特に、湾曲したヒートパイプによりフィンが適切に配置されることができ、フィンは効率的に熱を放散させることができる。
【００１３】
本発明の利点および趣旨は、添付の図面と共に以下の説明によって理解される。
【図面の簡単な説明】
【００１４】
【図１Ａ】図１Ａは、発明の一実施態様による照明装置の上面図を示す。
【図１Ｂ】図１Ｂは、発明の一実施態様による照明装置の斜視図を示す。
【図２】図２は、発明の一実施態様によるＬＥＤプラットホームの側面図を示す。
【図３Ａ】図３Ａは、発明の一実施態様によるエネルギー変換器およびキャリアの上面図を示す。
【図３Ｂ】図３Ｂは、図３ＡのＺ‐Ｚ線に沿ったエネルギー変換器、キャリアおよびヒートパイプの一部の断面図を示す。
【図４】図４は、実施態様によるエネルギー変換器、キャリアおよびヒートパイプの一部の横断面を示す。
【図５】図５は、他の実施態様によるエネルギー変換器、キャリアおよびヒートパイプの一部の横断面を示す。
【図６】図６は、他の実施態様によるエネルギー変換器、キャリアおよびヒートパイプの一部の横断面を示す。
【図７】図７は、他の実施態様によるエネルギー変換器、キャリアおよびヒートパイプの一部の横断面を示す。
【図８】図８は、発明の他の実施態様による照明装置の上面図を示す。
【図９】図９は、発明の他の実施態様による照明装置の斜視図を示す。
【発明を実施するための形態】
【００１５】
図１Ａおよび図１Ｂを参照する。図１Ａは、発明の一実施態様による照明装置の上面図を示す。図１Ｂは、発明の一実施態様による照明装置の斜視図を示す。図に示すように、照明装置１は形状因子を含み、形状因子は、シェル１０と、ＬＥＤプラットホーム１２ａ、ＬＥＤプラットホーム１２ｂ、ＬＥＤプラットホーム１２ｃおよびＬＥＤプラットホーム１２ｄのような複数のＬＥＤプラットホームとを含み、そこで、各々のＬＥＤプラットホームは、シェル１０に固定される。
【００１６】
ＬＥＤプラットホーム１２ａのような各々のＬＥＤプラットホームは、複数の第１のＬＥＤまたは複数の第２のＬＥＤを含む。ｎの第１のＬＥＤは駆動電流で駆動される一方 Ｘ±１０％のルーメンを生成し、ｎの第２のＬＥＤ は駆動電流で駆動される一方Ｙ±１０％のルーメンを生成し、ｍの第１のＬＥＤは駆動電流で駆動される一方Ｙ±１０％のルーメンを生成し、ｍの第２のＬＥＤは駆動電流で駆動される一方Ｚ±１０％のルーメンを生成する。そこで、ｍ＞ｎ、Ｚ＞Ｙ、Ｙ＞Ｘであり、第２のＬＥＤは第１のＬＥＤより良好な発光効率を有している。
【００１７】
したがって、ＬＥＤプラットホーム１２ａは、駆動電流によって駆動されるある程度のＬＥＤを含むことができる。ＬＥＤプラットホーム１２ａは、ＬＥＤプラットホーム１２が駆動電流によって駆動されるよりも多くのＬＥＤを含む場合、より多くの照明を生成することができる。さらに、ＬＥＤプラットホーム１２ａはまた、より高い発光効率を有するＬＥＤを含むことができる。言い換えると、ＬＥＤプラットホーム１２ａは一定の形状因子を有することができ、ＬＥＤの分量または発光効率を変えることによって、異なる尺度の照明を提供することができる。
【００１８】
異なる状況に対応して、因子Ｘ、Ｙ、Ｚ、ｍおよびｎはしたがって、以下のように変化することができる。例えば、ｍ＝６、ｎ＝４、Ｘ＝３５０、Ｙ＝５００、Ｚ＝７００；ｍ＝６、ｎ＝４、Ｘ＝５００、Ｙ＝７００、Ｚ＝１０００；ｍ＝６、ｎ＝４、Ｘ＝７００、Ｙ＝１０００、Ｚ＝１４００；ｍ＝８、ｎ＝６、Ｘ＝７００、Ｙ＝１０００、Ｚ＝１４００；ｍ＝８、ｎ＝６、Ｘ＝１０００、Ｙ＝１４００、Ｚ＝２０００；そこで、駆動電流はおよそ５３０ｍＡである。実際には、駆動電流はＬＥＤの仕様と一致し、因子は前述の例に限定されない。明らかに、ＬＥＤプラットホーム１２ａは、異なる尺度の照明を提供するために再設計される必要はない、すなわち、ＬＥＤプラットホーム１２ａは一定の形状因子の下で改良することができる。
【００１９】
照明装置１の形状因子に含まれるＬＥＤプラットホームの詳細は、以下に示される。以下の実施態様は一つのＬＥＤプラットホームの形状をとるが、ＬＥＤプラットホームのすべては以下の実施態様に適用できることに留意するべきである。
【００２０】
図１Ａおよび図２を参照する。図２は、発明の一実施態様によるＬＥＤプラットホームの側面図を示す。図に示すように、図２に示されるＬＥＤプラットホーム２は、図１のＬＥＤプラットホーム１２ａ、ＬＥＤプラットホーム１２ｂ、ＬＥＤプラットホーム１２ｃまたはＬＥＤプラットホーム１２ｄであってもよい。ＬＥＤプラットホーム２は、エネルギー変換器２０と、光反射部分２２と、ヒートパイプ２４と、熱放散部分２６と、キャリア２８とを含む。光反射部分２２は、シェル１０に固定することができる。エネルギー変換器２０、ヒートパイプ２４およびキャリア２８の関連した位置を示すため、光反射部分２２は遠近法によって示される。
【００２１】
光反射部分２２は底面を含み、光反射部分２２の底面は保持具２８２によってキャリア２８に配置される。光反射部分２２は、エネルギー変換器２０によって生成される光を反射する。実際には、エネルギー変換器２０によって生成される光が全方向に放射するので、光反射部分２２は、発光効率を増やすように同じ方向の方へ光を導くためにエネルギー変換器２０周辺で固定することができる。例えば、光反射部分２２は、エネルギー変換器２０の周りで配置される金属、ガラスまたは光を反射する材料であってもよいが、それらに限定されるものではない。
【００２２】
ヒートパイプ２４は、平坦部分２４０と、延長部分２４２と、接触部分２４４とを含む。平坦部分２４０はエネルギー変換器２０と接触し、湾曲部を有する延長部分２４２はエネルギー変換器２０の外側で第１の方向へ延長する。接触部分２４４は、湾曲部を連結して、第２の方向へ延長する。実際には、ヒートパイプは中空の構造であり、そこにおいて、中空の構造はシリンダの外側の表面を有し、中空の構造は高い熱伝導率の材料で満たすことができる。
【００２３】
一方で、熱放散部分２６は複数のフィン２６０を有し、そこで各々のフィン２６０が接触部分２４４に接触する。延長部分２４２および接触部分２４４を連結する湾曲部が延長部分２４２の延長方向を調整することができるので、熱放散部分２６の場所はそれに応じて変えることができる。したがって、熱放散部分２６は、照明装置１内でいかなる正確な場所にも配置されることができ、熱はヒートパイプ２４で熱放散部分２６に伝えることができる。さらに、本発明は薄い照明装置に適用することができる。
【００２４】
実際には、フィン２６０は第２の方向におよそ平行または垂直であり、フィン２６０は矩形の立方体を形成するために積み重なることができる。さらに、各々のフィン２６０は孔を有することができ、そこで、接触部分２４４はそれらのフィン２６０に接触するためにそれらの孔を貫通する。接触部分２４４は、固定要素によって孔にさらに固定され、そこで、固定要素は接触部分２４４をつなぐ。
【００２５】
底面を貫通するエネルギー変換器２０は光を出すことができ、エネルギー変換器２０は、異なる発光効率を有する複数のＬＥＤを含むことができる。実際には、エネルギー変換器２０は一般に、複数のＬＥＤを提供するために用いられ、ＬＥＤを担持するエネルギー変換器２０の方法は限定されない。例えば、エネルギー変換器２０は、基板およびベースを含むことができ、ＬＥＤは基板に配置され、基板はＬＥＤを露出するためのベースを連結する。ＬＥＤが基板に形成されても、ＬＥＤがベースにダイ接着されるチップであってもよく；または、ベースは第１のくぼんだ部分と、第１のくぼんだ部分に連結される第２のくぼんだ部分とを含み、基板は平坦部分２４０と接触し、第２のくぼんだ部分を連結し、ＬＥＤは、第１のくぼんだ部分の外側で露出する。
【００２６】
図２に示すように、キャリア２８に配置されたエネルギー変換器２０は、ヒートパイプ２４の平坦部分２４０とエネルギー変換器２０とを接触させるため、キャリア２８に固定される。キャリア２８は、保持具２８２によって光反射部分２２に固定される。実際には、キャリア２８に連結される光変調器は、エネルギー変換器２０から生成される光を調整することができる。例えば、光変調器は、エネルギー変換器２０と整列配置するレンズ構造であってもよい。また、キャリア２８は、光変調器をキャリア２８にネジ止めするためにキャリア２８側に配置されたネジ構造を含む。さらに、光変調器はまた、フック構造によりキャリア２８に挿入されてもよい。
【００２７】
エネルギー変換器２０とキャリア２８との間の構造をさらに示すいくつかの実施態様が、以下に示される。
【００２８】
図３Ａおよび図３Ｂを参照する。図３Ａは、エネルギー変換器２０と、ＬＥＤプラットホーム２のキャリア２８との平面図を示す。図３Ｂは、図３Ａの線Ｚ‐Ｚに沿ったエネルギー変換器２０と、キャリア２８と、ヒートパイプ２４の部分との横断面を示す。第１の好ましい実施態様によれば、エネルギー変換器２０は、エネルギー変換半導体構造２０２と、基板２０４と、ベース２０６とを含む。上記で第１のＬＥＤおよび第２のＬＥＤと呼ばれるエネルギー変換半導体構造２０２は、基板２０４に配置される。ベース２０６は、第１のくぼんだ部分２０６ａと、第１のくぼんだ部分２０６ａに連結された第２のくぼんだ部分２０６ｂとを含む。基板２０４は平坦部分２４０と接触し、第２のくぼんだ部分２０６ｂに連結し、エネルギー変換半導体構造２０２は、第１のくぼんだ部分２０６ａから露出される。キャリア２８は、ワイヤを含むための貫通孔２８２を有し、そこで、ワイヤは、エネルギー変換器２０に動力を提供することができる。
【００２９】
エネルギー変換半導体構造２０２は独立したくぼんだ部分のチップであり、それは基板２０４上に固定される（ダイ接着される）。エネルギー変換半導体構造２０２は、金属ワイヤ２９２でベース２０６の内側の電極に配線され、エネルギー変換半導体構造２０２は、ベース２０６上の内側の電極に連結される外部電極２０６ｃに溶接されるワイヤにより制御回路に電気的に連結される（図２参照のこと）。エネルギー変換半導体構造２０２および金属ワイヤ２９２は、充填材料２０８によって基板２０４に固定または封止される。ベース２０６は、ネジを貫通孔２０６ｄにキャリア２８へネジ止めすることによってキャリア２８に固定される。充填材料２０８はまた、光を調整することが可能である。充填材料２０８の形状が図３Ｂに示すように突出している場合、充填材料２０８は光を集めることができる。
【００３０】
第１の好ましい実施態様によれば、エネルギー変換器２０は、ベース２０６に配置されたレンズ２９０を含む。レンズ２９０は光を集めることができるが、それに限定されない。レンズ２９０の二つの側の湾曲上の正確な設計により、レンズ２９０は、異なる光学的調整条件を満たすため、光を収束または散乱させることが可能である。実際的な用途において、ＬＥＤプラットホーム２の光学的調整効果はまた、光変調器のレンズ構造の光学性を考慮する必要がある。光変調器のレンズ構造は、凸レンズに限定されないことは注目に値することである。例えば、レンズ構造の中央で凹部をさらに含むことができ、したがって、光はレンズ構造によって概略的にリング形状になるように集められる。
【００３１】
図３Ａおよび図３Ｂを参照する。加えて、ベース２０６は、型に金属のリードフレームを埋め込み、型に液晶プラスチックを注入することによって形成される。そこにおいて、リードフレーム上に定められる内側の電極は、第１のくぼんだ部分２０６ａから露出し、外部電極２０６ｃはベース２０６から露出する。加えて、エネルギー変換半導体２０２は、図３Ｂの点線で示すように、配線によって連続して連結される。一方、図３Ｂのエネルギー変換半導体構造２０２は、ベース２０６に連結される一つの金属ワイヤ２９２を保持するだけである。例えば、プロセスで形成される回路を有する半導体基板または金属回路でおおわれている回路基板のような基板２０４上に回路がある場合、エネルギー変換半導体構造２０２は、基板２０４に配線されることができ、基板２０４でベース２０６に電気的に連結される。基板２０４が電気接続のための媒体でないように設計される場合、基板２０４は、平坦部分２４０にエネルギー変換半導体構造２０２によって生成される熱を導通する熱伝導効率を増やすため、高い熱伝導率を有する金属材料またはその他の材料でできていてもよい。
【００３２】
図４を参照する。図４は、実施態様によるエネルギー変換器２０、キャリア２８、および、ヒートパイプ２４の部分の横断面を示す。図４、図３Ａ、および、図３Ｂの違いは、図４の基板２０４が完全に第２のくぼんだ部分２０６ｂに配置されているということである。したがって、ベース２０６の底面２０６ｅは、（平坦部分２４０と接触するため）基板２０４の底面２０４ａからわずかに突出する。対応して、平坦部分２４０はキャリア２８から突出し、平坦部分２４０の突出した高さは、基板２０４がしっかりと平坦部分２４０に積み重ねられるのを確実にするために、基板２０４の底面２０４ａの凹状の深さよりわずかに大きい。
【００３３】
同様に、平坦部分２４０はキャリア２８からわずかに突出することができ、ベース２０６の底面２０６ｅおよび基板２０４の底面２０４ａは同一平面上である。しっかりと固定させるのを確実にするための上記の目的もまた、達成されることができる。図３Ｂに示される構造において、ベース２０６と平坦部分２４０との間に隙間がある場合、熱伝導性の接着剤は、隙間を満たすため、ベース２０６の底面または平坦部分２４０に被せることができる。もちろん、図４で示す構造において、熱伝導性の接着剤は、底面２０６ｅまたは平坦部分２４０の表面粗さのために形成された隙間を満たすため、ベース２０６の底面２０６ｅまたは平坦部分２４０に被せることができる。
【００３４】
図３Ｂおよび図５を参照する。図５は、他の実施態様によるエネルギー変換器２０、キャリア２８、および、ヒートパイプ２４の部分の横断面を示す。図３Ｂと図５との違いは、図５のエネルギー変換半導体２０２が直接基板２０４の上に形成されるということである；例えば、基板２０４は、半導体基板（シリコン基板）である。したがって、エネルギー変換半導体２０２は、容易に基板２０４上の半導体プロセスにおいて形成するために一体化することができる。加えて、半基板２０４の上に形成されるエネルギー変換半導体構造２０２の電極は前もって基板２０４に集積されることができ、２倍の配線のみがエネルギー変換半導体構造２０２に必要とされる。製造の安定性は、このことにより増加することができる。
【００３５】
図３Ｂおよび図６を参照する。図６は、他の実施態様によるエネルギー変換器２０、キャリア２８、および、ヒートパイプ２４の部分の横断面を示す。図６と図３Ｂとの違いは、図６のエネルギー変換半導体構造２０２は、図３Ｂで示される基板２０４上よりむしろ凹部２０６ｆを有するベース２０６’に直接配置されるということである。加えて、実際的な用途において、ベース２０６’は、エネルギー変換半導体２０２が直接配置されるプレートであってもよい。図３Ｂのエネルギー変換器２０についての記載はここでも適用され、ここではこれ以上説明しない。
【００３６】
図６および図７を参照する。図７は、他の実施態様によるエネルギー変換器２０、キャリア２８およびヒートパイプ２４の部分の横断面を示す。図３Ｂおよび図７の違いは、図７のエネルギー変換半導体構造２０２が直接ベース２０６’の上に形成されることである。もちろん実際的な用途において、ベース２０６’はプレートであってもよい。図５のエネルギー変換器２０についての記載はここでも適用され、ここではこれ以上説明しない。
【００３７】
一般に、照明装置は制御回路によって制御され、制御回路はコンテナ内に含むことができる。また制御回路は、ＬＥＤの発光効率を調整するまたは他の機能を制御するため、エネルギー変換器を制御するために使われる。
【００３８】
図８を参照する。図８は、本発明の他の実施態様による照明装置の上面図を示す。図８に示すように、照明装置１は形状因子を有し、そこで、シェル１０と、例えばＬＥＤプラットホーム１２ａ、ＬＥＤプラットホーム１２ｂ、ＬＥＤプラットホーム１２ｃおよびＬＥＤプラットホーム１２ｄのような複数のＬＥＤプラットホームを含む。さらに、各々のＬＥＤプラットホームはそれぞれ、コンテナ１２０ａ、コンテナ１２０ｂ、コンテナ１２０ｃおよびコンテナ１２０ｄを含み、そこで各々のコンテナは、対応するＬＥＤプラットホームに固定される。
【００３９】
コンテナは、エネルギー変換器を制御する制御回路（図８において図示せず）を含むために用いることができる。加えて、各々のコンテナは、エネルギー変換器が必要とする動力を提供するために、電気的に制御回路に連結されるコネクタ（図８において図示せず）をさらに含むことができる。コネクタはコンテナ内に配置される必要はないことに留意すべきであり、コネクタは、シェル１０にさらに固定することができ、各々のＬＥＤプラットホームの制御回路に電気的に連結される。コネクタは、エネルギー変換器が他の構成要素と干渉せずに必要とされる動力を提供するために照明装置１のいかなる適当な場所にも配置することができる。
【００４０】
加えて、制御回路は、回路基板または他の電気的な要素を含むことができる。制御回路は、コネクタに電気的に連結されるワイヤによってエネルギー変換器に連結される。各々のＬＥＤプラットホームのキャリアはまた、ワイヤを貫通させる貫通孔を有することができる。また、制御回路は、他のワイヤによってコネクタに連結することができる。さらに、コネクタはエネルギー変換器を制御するための制御回路の動力を得るため、電源に連結される。例えば、コネクタはＬＥＤによって必要とされる動力を得るために電源に連結される。
【００４１】
さらに、本発明の他の実施態様によると、照明装置は、エネルギー変換器によって生成される光を均質にするための複数の光学ホモジナイザ（拡散器）をさらに含むことができる。図９を参照する。図９は、発明の他の実施態様による照明装置の斜視図を示す。図９に示すように、複数の光学ホモジナイザ１４は、照明装置１のシェル１０に固定することができる、各々の光学ホモジナイザ１４は、光反射部分の一つに対応して固定される。実際には、光学ホモジナイザ１４は光を均質にするために用いられ、各々の光反射部分は、光学ホモジナイザ１４または異なる視覚効果を提供することができる他の構成要素と一致するように設計することができる。上記に平らな光学ホモジナイザ１４が示されるが、当業者は、光学ホモジェナイザ１４のすべてに適用することができる大きいサイズ光学ホモジナイザの使用が発明を実現させるための一般的な方法であることを承知しているはすである。光学ホモジナイザ１４は平らな形状に限定されず、光学ホモジナイザ１４は湾曲した形状または他の形状を有することが可能である。
【００４２】
要約すれば、本発明の照明装置は複数のＬＥＤで一定の形状因子を有し、ＬＥＤは異なる尺度の照明を提供するためのいくつかのタイプの発光効率を含む。さらに、照明装置は、適切にフィンを配置することによって装置内部の空間を完全に活用することができる、すなわち、照明装置は、湾曲したヒートパイプで熱をフィンに伝えることによって熱を放散させることができる。特に、湾曲したヒートパイプによりフィンは適切に配置することでき、フィンは効率的に熱を放散させることができる。一方、照明装置は、熱を湾曲したヒートパイプで熱を放散部分に伝えることによって、熱を放散させることができる、すなわち、照明装置の熱放散は非常に高めることができる。言い換えると、ＬＥＤによって生成される熱は適時に放散することができ、ＬＥＤは「熱ショック」を受けず、作業寿命が増加する。
【００４３】
上記の例および説明により、本発明の特徴および趣旨は、おそらくうまく記載された。当業者は、発明の教示を保持する一方で装置の多数の修正および変更が作成されるのを直ちに認めるであろう。したがって、上記の開示は、添付の請求の範囲の境界および範囲によってのみ限定されるものと解釈されるべきである。
【図１Ａ】
2011138777.tif 000003
【図１Ｂ】
2011138777.tif 000004
【図２】
2011138777.tif 000005
【図３Ａ】
2011138777.tif 000006
【図３Ｂ】
2011138777.tif 000007
【図４】
2011138777.tif 000008
【図５】
2011138777.tif 000009
【図６】
2011138777.tif 000010
【図７】
2011138777.tif 000011
【図８】
2011138777.tif 000012
【図９】
2011138777.tif 000013
【外国語明細書】
2011138777000001.pdf